(57)【要約】【課題】フィルターカップ組立体を提供する。【解決手段】本組立体は、底面の中心に一方向弁が接続された第１カップを備え、フィルター部が該第１カップの該底面に接続される。アダプターが該フィルター部と第２カップとの間に接続される。圧搾具はロッドに接続された圧搾板を備え、該圧搾板は該第１カップに挿入され、該第１カップ内の汚れた水を押して該一方向弁と該フィルター部とを通過させ、濾過された水が該第２カップに集められる。全ての部品は互いに螺合されており、分解可能である。該第１カップは、使用しない時、該第２カップ、該フィルター部、及び該アダプターを収容するようサイズが決められている。【選択図】図１
0003156787.tif 000002
【実用新案登録請求の範囲】
【請求項１】
底面に第１ロック部を有し、開いた上部に第２ロック部が設けられ、該底面の中心に一方向弁が接続された第１カップと、
開いた上部に第３ロック部を有する第２カップと、
第４ロック部を有する蓋と、
内部にフィルター材が収容され、上部から接続部が延在し、底面に第５ロック部が設けられたフィルター部と、
上部に第６ロック部を有し、底面に第７ロック部が設けられたアダプターと
を備え、
該第７ロック部は該第５ロック部と接続され、該第６ロック部を該第３ロック部に接続することで該アダプターが該第２カップに接続され、その結果、該フィルター部と、該アダプターと、該第２カップとが接続され、該第１カップの該一方向弁は該フィルター部の該接続部に接続されるフィルターカップ組立体。
【請求項２】
前記第１カップは、該第１カップに前記開いた上部から収容されるようサイズが決められた前記第２カップより大きく、前記アダプターの前記第６ロック部は該第１カップの前記第２ロック部に接続されて、前記フィルター部が該第２カップに収容され、前記蓋の前記第４ロック部が該アダプターの該第６ロック部に接続されることで、該フィルターカップ組立体の収容状態が完成する請求項１に記載の組立体。
【請求項３】
前記一方向弁を保護するために前記第１カップの前記第１ロック部に接続される第８ロック部を有する底板を更に備える請求項２に記載の組立体。
【請求項４】
前記第１カップは、該第１カップを前記開いた上部から収容するようサイズが決められた前記第２カップより小さく、前記アダプターの前記第６ロック部は該第２カップの前記第３ロック部に接続されて、前記フィルター部が該第１カップに収容され、前記蓋の前記第４ロック部が該アダプターの該第６ロック部に接続されることで、該フィルターカップ組立体の収容状態が完成する請求項１に記載の組立体。
【請求項５】
１つ以上の封止リングが前記フィルター部に装着される請求項１に記載の組立体。
【請求項６】
圧搾具が前記第１カップの前記開いた上部を通して該第１カップに接続される請求項１に記載の組立体。
【請求項７】
前記圧搾具は、接続ディスクと、該接続ディスクを通って延び、圧搾板に接続されたロッドとを備え、該接続ディスクは前記第１カップの前記第２ロック部に接続され、該圧搾板は該第１カップ内において可動である請求項６に記載の組立体。
【請求項８】
前記圧搾具は、ロッドと、上部圧搾板と、底部圧搾板とを備え、該ロッドは該上部圧搾板の管状部に螺合され、該底部圧搾板は、該上部圧搾板の該管状部の底から該管状部に挿入される突出部を備える請求項６に記載の組立体。
【請求項９】
封止リングが前記上部圧搾板の底面に接続され、該上部圧搾板には第１貫通孔が形成され、前記底部圧搾板には第２貫通孔が形成されている請求項８に記載の組立体。
【請求項１０】
前記第６ロック部は、前記アダプターの内面にねじ山を有する請求項１に記載の組立体。
【請求項１１】
前記第６ロック部は、前記アダプターの外面にねじ山を有する請求項１に記載の組立体。
【請求項１２】
前記第６ロック部は、前記アダプターの内面と外面にねじ山を有する請求項１に記載の組立体。
【請求項１３】
前記第２カップは、前記第６ロック部に接続されるようサイズが決められたボトルで置換えられている請求項１に記載の組立体。
【考案の詳細な説明】
【技術分野】
【０００１】
本考案は、フィルターカップ組立体、特に、持ち運び容易で流体を濾過するために使用されるフィルターカップ組立体に関する。
【背景技術】
【０００２】
水道水は近代都市において人々が利用できる最も重要な水源であるが、多くの人が、水道水は過剰な塩素と重金属化合物とを含んでいることを気にしているので、フィルター装置が広く使われている。しかし、屋外活動の間、水道水は利用できず、人々は必要な水を携帯しなければならない。水は重くスペースをとるので旅行者にとって大きな負担となる。清浄な水を得る方法は旅行者にとって主要な関心事の１つである。フィルター装置は水の問題を解決できるが、従来のフィルター装置は重く、輸送及び携帯に不便である。従って、川、小川、雨滴から得た水を濾過する小型で便利なフィルター装置が必要とされている。
【考案の概要】
【考案が解決しようとする課題】
【０００３】
本考案の目的は、カップ状のユニットとして容易に収容でき、水を飲料水に濾過することができるフィルターカップ組立体を提供することである。
【課題を解決するための手段】
【０００４】
本考案のフィルターカップ組立体は、底面に第１ロック部を有し、開いた上部に第２ロック部が設けられ、該底面の中心に一方向弁が接続された第１カップと、開いた上部に第３ロック部を有する第２カップと、第４ロック部を有する蓋と、内部にフィルター材が収容され、上部から接続部が延在し、底面に第５ロック部が設けられたフィルター部と、上部に第６ロック部を有し、底面に第７ロック部が設けられたアダプターとを備える。該第７ロック部は該第５ロック部と接続され、該第６ロック部を該第３ロック部に接続することで該アダプターが該第２カップに接続され、その結果、該フィルター部と、該アダプターと、該第２カップとが接続され、該第１カップの該一方向弁は該フィルター部の該接続部に接続される。
【０００５】
本考案の主な目的は、収容及び組立てが容易で、汚れた水を飲料水に濾過することができる小型のフィルターカップ組立体を提供することである。
【０００６】
本考案は下記の説明と、本考案の好適な実施形態を例示の目的のためだけに示す添付図面とからより明らかとなろう。
【図面の簡単な説明】
【０００７】
【図１】本考案のフィルターカップ組立体を示す展開図である。
【図２】本考案のフィルターカップ組立体の全部品の立面図である。
【図３】本考案のフィルターカップ組立体の圧搾具を示す図である。
【図４】本考案のフィルターカップ組立体の接続を示す図である。
【図５】本考案のフィルターカップ組立体の部品間の接続を示す図である。
【図６】本考案のフィルターカップ組立体の収容時、第２カップが第１カップに収容されている状態を示す図である。
【図７】本考案のフィルターカップ組立体の収容時、第１カップが第２カップに収容されている別の実施形態を示す図である。
【図８】第２カップが第１カップよりサイズが大きい場合の本考案のフィルターカップ組立体の組立て途中を示す図である。
【図９】第２カップが第１カップよりサイズが大きい場合の本考案のフィルターカップ組立体が組立てられた状態を示す立面図である。
【図１０】圧搾具の別の実施形態の底面図である。
【図１１】図１０の圧搾具の断面図である。
【考案を実施するための形態】
【０００８】
図１〜図４を参照すると、本考案のフィルターカップ組立体は、第１カップ１０、第２カップ２０、蓋３０、フィルター部４０、及びアダプター５０を備える。第１カップ１０はその底面に第１ロック部１１を有している。一方向弁１２が第１カップ１０の底面の中心に接続される。第２ロック部１３が第１カップ１０の開いた上部に設けられている。第２カップ２０はその開いた上部に第３ロック部２１を有している。蓋３０は第４ロック部３１を有している。フィルター部４０にはフィルター材４１が収容され、接続部４２がフィルター部４０の上部から延在している。第５ロック部４３はフィルター部４０の底面に設けられている。アダプター５０はその上部に第６ロック部５１を有し、第７ロック部５２がアダプター５０の底面に設けられている。第６ロック部５１はアダプター５０の内面と外面とに設けられたねじ山を備える。第７ロック部５２が第５ロック部４３と接続される。
【０００９】
また、底板６０は第８ロック部６１を有し、第１カップ１０の第１ロック部１１と接続され、一方向弁１２を保護する。１つ以上の封止リング７０がフィルター部４０に装着され、フィルター部４０からのリークを防ぐ。使用者がフィルター部４０の交換が必要な時が分かるように、複数のカウンターリング９０をフィルター部４０に装着することができる。
【００１０】
汚れた水がフィルター部４０を通過するようにさせるために第１カップ１０の開いた上部を通して圧搾具８０が使用される。圧搾具８０は接続ディスク８１と、接続ディスク８１を通って延び、圧搾板８３に接続されるロッド８２とを備える。接続ディスク８１は第１カップ１０の第２ロック部１３に接続され、圧搾板８３は第１カップ１０内において可動である。
【００１１】
使用時、第６ロック部５１を第３ロック部２１と接続することでアダプター５０は第２カップ２０に接続され、フィルター部４０と、アダプター５０と、本組立体の最下部に位置する第２カップ２０とが接続される。第１カップ１０の一方向弁１２はフィルター部４０の接続部４２に接続される。接続ディスク８１は第２ロック部１３と接続されて、圧搾具８０が第１カップ１０に挿入される。使用者がロッド８２を押すと、圧搾板８３は第１カップ１０内の汚れた水をフィルター部４０へ押し、フィルター部４０を通過し濾過された水が第２カップ２０に集められる。
【００１２】
図６に示したように、フィルターカップ組立体を使用しない時、本実施形態では、第１カップ１０は、第１カップ１０にその開いた上部から収容されるようサイズが決められた第２カップ２０より大きい。第７ロック部５２は第５ロック部４３と接続され、アダプター５０とフィルター部４０とが接続される。次に、フィルター部４０は第２カップ２０内に収容される。アダプター５０の第６ロック部５１が第１カップ１０の第２ロック部１３に接続される。次に、蓋３０の第４ロック部３１がアダプター５０の第６ロック部５１に接続され、フィルターカップ組立体の収容状態が完成する。
【００１３】
フィルターカップ組立体の別の実施形態を示す図７〜図９に示されているように、第１カップ１０は、第１カップ１０を開いた上部から収容するようサイズが決められた第２カップ２０より小さい。アダプター５０の第６ロック部５１は第２カップ２０の第３ロック部２１に接続され、フィルター部４０は第１カップ１０内に収容される。蓋３０の第４ロック部３１がアダプター５０の第６ロック部５１に接続され、フィルターカップ組立体の収容状態が完成する。
【００１４】
図７〜図９に示された実施形態では、使用時、第２カップ２０は本組立体の最下部に位置し、第２カップ２０の第３ロック部２１はアダプター５０の第６ロック部５１に接続される。フィルター部４０と、アダプター５０と、第２カップ２０とが接続可能なように第６ロック部５１はアダプター５０の外面にねじ山を有する。第１カップ１０の底面の一方向弁１２はフィルター部４０の接続部４２に接続され、第１カップ１０とフィルター部４０とが接続される。第１カップ１０は、フィルターカップ組立体全体が倒れにくいように第２カップ２０より小さい。
【００１５】
なお、第６ロック部５１をボトルとの接続に適切なように設定し、第２カップ２０を、第６ロック部５１に接続されるようサイズが決められたボトルで置き換えてもよい。
【００１６】
アダプター５０には４つの接続状態がある。第１は図６に示され、第６ロック部５１はその下部が第２ロック部１３に接続される。第２の状態は図５に示され、アダプター５０は第２カップ２０の外側に装着（螺合でなく）される。第３の状態は図２に示され、アダプター５０の第６ロック部５１は接続部４２の外側に装着（螺合でなく）される。第４の状態は図８に示され、アダプター５０はその下部が第２カップ２０の第３ロック部２１に接続される。
【００１７】
図１０、図１１は前記圧搾具の別の実施形態を示す。この圧搾具８０’は上部圧搾板８４の管状部に螺合されたロッド８２と、上部圧搾板８４の底面に接続された底部圧搾板８５とを備える。底部圧搾板８５は、上部圧搾板８４の管状部の底から管状部に挿入される突出部８５１を備える。突出部８５１は、突出部８５１が該管状部から外れるのを制止するフランジを備える。封止リング８６が上部圧搾板８４の底面に接続されている。上部圧搾板８４には第１貫通孔８４１が形成され、底部圧搾板８５には第２貫通孔８５２が形成されている。使用者がロッド８２を押すと、底部圧搾板８５は上部圧搾板８４の底面に当接し、封止リング８６は第２貫通孔８５２を封止し、水を下方へ押す。ロッド８２を上方へ引くと、底部圧搾板８５は上部圧搾板８４から離れ、水が第１カップ１０（図１０、図１１では不図示）と上部圧搾板８４と底部圧搾板８５との間の隙間を通って流れ、上部圧搾板８４より上に溜まる。次に、上部圧搾板８４より上に溜まった水は第１貫通孔８４１、第２貫通孔８５２を通って流れ、底部圧搾板８５の下の空間に入る。従って、ロッド８２を往復運動させることで、水を濾過することができる。
【００１８】
本考案の実施形態を説明したが、本考案の範囲を逸脱することなく他の実施形態が可能であることは当業者には明らかであろう。
【符号の説明】
【００１９】
１０  第１カップ
１１  第１ロック部
１２  一方向弁
１３  第２ロック部
２０  第２カップ
２１  第３ロック部
３０  蓋
３１  第４ロック部
４０  フィルター部
４１  フィルター材
４２  接続部
４３  第５ロック部
５０  アダプター
５１  第６ロック部
５２  第７ロック部
【図１】
0003156787.tif 000003
【図２】
0003156787.tif 000004
【図３】
0003156787.tif 000005
【図４】
0003156787.tif 000006
【図５】
0003156787.tif 000007
【図６】
0003156787.tif 000008
【図７】
0003156787.tif 000009
【図８】
0003156787.tif 000010
【図９】
0003156787.tif 000011
【図１０】
0003156787.tif 000012
【図１１】
0003156787.tif 000013
【手続補正書】
【提出日】平成21年11月9日(2009.11.9)
【手続補正１】
【補正対象書類名】実用新案登録請求の範囲
【補正対象項目名】全文
【補正方法】変更
【補正の内容】
【実用新案登録請求の範囲】
【請求項１】
底面に第１ロック部を有し、開いた上部に第２ロック部が設けられ、該底面の中心に一方向弁が接続された第１カップと、
開いた上部に第３ロック部を有する第２カップと、
内部にフィルター材が収容され、上部から接続部が延在し、底面に第５ロック部が設けられたフィルター部と、
上部に第６ロック部を有し、底面に第７ロック部が設けられたアダプターと、
該アダプターに接続される蓋と、
を備え、
該第７ロック部は該第５ロック部と接続され、該第６ロック部を該第３ロック部に接続することで該アダプターが該第２カップに接続され、その結果、該フィルター部と、該アダプターと、該第２カップとが接続され、該第１カップの該一方向弁は該フィルター部の該接続部に接続されるフィルターカップ組立体。
【請求項２】
前記第１カップは、該第１カップに前記開いた上部から収容されるようサイズが決められた前記第２カップより大きく、前記アダプターの前記第６ロック部は該第１カップの前記第２ロック部に接続されて、前記フィルター部が該第２カップに収容され、前記蓋は第４ロック部を有し、該第４ロック部が該アダプターの該第６ロック部に接続されることで、該フィルターカップ組立体の収容状態が完成する請求項１に記載の組立体。
【請求項３】
前記一方向弁を保護するために前記第１カップの前記第１ロック部に接続される第８ロック部を有する底板を更に備える請求項２に記載の組立体。
【請求項４】
前記第１カップは、該第１カップを前記開いた上部から収容するようサイズが決められた前記第２カップより小さく、前記アダプターの前記第６ロック部は該第２カップの前記第３ロック部に接続されて、前記フィルター部が該第１カップに収容され、前記蓋の前記第４ロック部が該アダプターの該第６ロック部に接続されることで、該フィルターカップ組立体の収容状態が完成する請求項１に記載の組立体。
【請求項５】
１つ以上の封止リングが前記フィルター部に装着される請求項１に記載の組立体。
【請求項６】
圧搾具が前記第１カップの前記開いた上部を通して該第１カップに接続される請求項１に記載の組立体。
【請求項７】
前記圧搾具は、接続ディスクと、該接続ディスクを通って延び、圧搾板に接続されたロッドとを備え、該接続ディスクは前記第１カップの前記第２ロック部に接続され、該圧搾板は該第１カップ内において可動である請求項６に記載の組立体。
【請求項８】
前記圧搾具は、ロッドと、上部圧搾板と、底部圧搾板とを備え、該ロッドは該上部圧搾板の管状部に螺合され、該底部圧搾板は、該上部圧搾板の該管状部の底から該管状部に挿入される突出部を備える請求項６に記載の組立体。
【請求項９】
封止リングが前記上部圧搾板の底面に接続され、該上部圧搾板には第１貫通孔が形成され、前記底部圧搾板には第２貫通孔が形成されている請求項８に記載の組立体。
【請求項１０】
前記第６ロック部は、前記アダプターの内面にねじ山を有する請求項１に記載の組立体。
【請求項１１】
前記第６ロック部は、前記アダプターの外面にねじ山を有する請求項１に記載の組立体。
【請求項１２】
前記第６ロック部は、前記アダプターの内面と外面にねじ山を有する請求項１に記載の組立体。
【請求項１３】
前記第２カップは、前記第６ロック部に接続されるようサイズが決められたボトルで置換えられている請求項１に記載の組立体。